(57)【要約】【課題】  電気掃除機において、コードプラグの引き抜きやすさを保ちつつ、床面への傷つきを防止すること。【解決手段】  課題を解決するためには、電気掃除機において、塵埃を吸引する吸引風を生じさせる電動送風機と、吸引した塵埃を捕集する集塵部と、電動送風機へ電源を供給する電源コードと、電源コードの一端に設けられたコードプラグと、電源コードを本体内部に収納するコードリールを備える本体を有し、本体には、一方の側面から上方を通り他方の側面に至るハンドルが設けられ、本体を後方から見た状態において、電源コードが本体内部から出入りし、電源コードが前記コードリールに収納された状態の時にコードプラグが位置する電源コード取出し口は、ハンドルの内側に位置するように構成すればよい。【選択図】図４
2014083229.tif 000002
【特許請求の範囲】
【請求項１】
塵埃を吸引する吸引風を生じさせる電動送風機と、吸引した塵埃を捕集する集塵ユニットと、前記電動送風機へ電源を供給する電源コードと、前記電源コードの一端に設けられたコードプラグと、前記電源コードを本体内部に収納するコードリールを備える本体を有し、
前記本体には、一方の側面から上方を通り他方の側面に至るハンドルが設けられ、
前記本体を後方から見た状態において、前記電源コードが本体内部から出入りし前記電源コードが前記コードリールに収納された状態の時に前記コードプラグが位置する電源コード取出し口は、前記ハンドルの内側に位置することを特徴とする電気掃除機。
【請求項２】
塵埃を吸引する吸引風を生じさせる電動送風機と、吸引した塵埃を捕集する集塵部を着脱自在に備える本体を有し、
前記本体には、一方の側面から上方を通り他方の側面に至るハンドルが設けられ、
前記集塵部は前記本体に装着された状態において、所定の接続位置で接続することで、前記本体の内部へと吸引風が流下可能に連通し、
前記接続位置は、前記ハンドルの下部に位置することを特徴とする電気掃除機。
【請求項３】
前記本体は、後部に本体に接続して用いるアタッチメントを保持するための突出部を備え、前記突出部の後面は、前記本体の後面とほぼ同一面上に位置することを特徴とする請求項１又は２のいずれかに記載の電気掃除機。
【請求項４】
前記突出部がアタッチメントを保持している状態において、前記ハンドルがアタッチメントに接触し支持することを特徴とする請求項３に記載の電気掃除機。
【請求項５】
前記ハンドルと前記アタッチメントとの接触位置は、軟質材で成形されることを特徴とする請求項４記載の電気掃除機。
【請求項６】
前記本体を、後面を下にして立てた状態において、前記コードプラグは前記ハンドルの後端と前記突出部の後端を結ぶ直線よりも前記本体側に位置することを特徴とする請求項３乃至５に記載の電気掃除機。
【請求項７】
前記本体を、後面を下にして立てた状態において、前記ハンドルと床面との間に空間が形成されることを特徴とする請求項３乃至６に記載の電気掃除機。
【発明の詳細な説明】
【技術分野】
【０００１】
この発明は、持ち手であるハンドルを本体に備えた電気掃除機に関する。
【背景技術】
【０００２】
従来から、商用電源から電力を得るためにコードリールを本体に内蔵した電気掃除機がある。このような電気掃除機は、本体からコードを引き出しやすくする為に、コードの取り出し口が本体上面に設けられている。
そして、コードプラグの刃は、本体内部にコードが巻き取られた状態において、コードの取り出し口よりも突出した状態で、本体に保持される（例えば、特許文献１を参照）。
【先行技術文献】
【特許文献】
【０００３】
【特許文献１】特開２００３−７９５４９号公報（図６）
【発明の概要】
【発明が解決しようとする課題】
【０００４】
しかしながら、従来の電気掃除機は、プラグを本体から引き抜きやすく構成するために、コードの取り出し口を本体上部に設け、コードプラグが取り出し口に突出した状態で保持されているので、本体が横転した時に、床面にコードプラグの刃が接触し、床面を傷つける要因およびコードプラグの刃の破損原因となる課題が生じていた。
【０００５】
この発明は、かかる問題点を解決するためになされたもので、コードプラグの引き抜きやすさを保ちつつ、床面への傷つきを防止することを目的としている。
【課題を解決するための手段】
【０００６】
上記の課題を解決する為には、電気掃除機において、塵埃を吸引する吸引風を生じさせる電動送風機と、吸引した塵埃を捕集する集塵部と、電動送風機へ電源を供給する電源コードと、電源コードの一端に設けられたコードプラグと、電源コードを本体内部に収納するコードリールを備える本体を有し、本体には、一方の側面から上方を通り他方の側面に至るハンドルが設けられ、本体を後方から見た状態において、電源コードが本体内部から出入りし、電源コードが前記コードリールに収納された状態の時にコードプラグが位置する電源コード取出し口は、ハンドルの内側に位置するように構成すればよい。
【発明の効果】
【０００７】
掃除機本体において、ハンドルがコードプラグの刃よりも外側に位置しているため、本体が横転した時、ハンドルがコードプラグと床面との接触を防ぐことができ、コードプラグの刃が床面を傷つけることがない電気掃除機を得ることが出来る。
【図面の簡単な説明】
【０００８】
【図１】実施の形態における電気掃除機を示す図である。
【図２】実施の形態における掃除機本体の側面図である。
【図３】実施の形態における電気掃除機の掃除機本体を斜め前方から見た外観斜視図である。
【図４】実施の形態における電気掃除機の掃除機本体を斜め後方から見た外観斜視図である。
【図５】図３の状態から集塵ユニット１２を外した図である。
【図６】集塵ユニット１２を本体６への取り付け側から見た平面図である。
【図７】図２における電気掃除機のＸ−Ｘを断面とする縦断面図である。
【図８】図３の状態からサイドカバー２２を取り外した図である。
【図９】実施の形態における電気掃除機の外観背面の拡大図である。
【図１０】実施の形態における電気掃除機の掃除機本体において、掃除機本体の外観側面後部の拡大図である。
【図１１】実施の形態における電気掃除機のスタンド状態を示す外観側面図である。
【図１２】実施の形態における電気掃除機の掃除機本体において、アタッチメント保持部がアタッチメントを支持した状態を示す本体側面の断面拡大図である。
【図１３】実施の形態における電気掃除機の掃除機本体において、本体に備えられたハンドルがアタッチメントを支持した状態を示す本体側面の概略拡大図である。
【発明を実施するための形態】
【０００９】
実施の形態．
（電気掃除機の構成）
図１〜図１３を参照して、実施の形態を説明する。
図１に示すように、電気掃除機１は、吸込口体２や延長パイプ３などのアタッチメント、接続パイプ４、サクションホース５及び掃除機本体６（以下、本体６）を要部として構成される。
吸込口体２は、下向きに形成された開口から、床面上のごみ（塵埃）を空気と一緒に吸い込むためのものである。吸込口体２の長手方向略中央部には、排気のための接続部２ａが設けられている。
【００１０】
吸込口体２の接続部２ａには、延長パイプ３の一側（吸気側）の端部が接続される。この延長パイプ３は、内径が異なる円筒状の部材３ａ，３ｂを組み合わせることで、伸縮自在に構成されている。延長パイプ３の他端部には、接続パイプ４の一側（吸気側）の端部が接続される。この接続パイプ４は、円筒状の部材からなる。
【００１１】
接続パイプ４には、取っ手７が設けられている。取っ手７は、電気掃除機１の使用者が持って操作するためのものである。取っ手７には、電気掃除機１の運転を制御するための操作スイッチ８が設けられている。接続パイプ４の他端部には、サクションホース５の一側（吸気側）の端部が接続される。このサクションホース５は、可撓性を備えた蛇腹状を呈する部材からなる。
【００１２】
（掃除機本体の構成）
図２〜図７に示すように、本体６は、吸引したごみを含む空気（含塵空気）からごみを分離し、ごみが取り除かれた空気（清浄空気）を排出する（例えば、室内に戻す）ためのものである。
掃除機本体６の前側端部には、ホース接続口９が形成されている。掃除機本体６のホース接続口９には、サクションホース５の他端部が接続される。また、掃除機本体６の両側及び下面には車輪１０が取り付けられている。
【００１３】
掃除機本体６は、電源コード１１を備えている。この電源コード１１は、一端にコードプラグ１１ａが取り付けられており、他端側から本体６内部に備えられたコードリール部（図示せず）に巻き付けられている。また、コードプラグ１１ｃには、コンセントに挿入される一対の刃が突出している。
そして、電源コード１１が本体内部から出入りし、電源コード１１がコードリールに収納された状態の時にコードプラグ１１ａが位置する電源コード取出し口６ｈは、使用者が電源コード１１を引き出しやすいように、掃除機本体６の上部に後方に向けて開口している。
【００１４】
尚、コードプラグ１１ａは、使用者がつかみやすいように、電源コード取出し口６ｈから、飛び出した位置に保持される。
このようなコードプラグ１１ａは、外部電源の供給元であるコンセントに接続されることにより、後述する電動送風機１３等の内部機器が通電する。電動送風機１３は、通電によって駆動し、操作スイッチ８に対する操作に応じて所定の吸引動作を行う。
【００１５】
吸込口体２、延長パイプ３、接続パイプ４及びサクションホース５は、内部が一続きに形成されている。電動送風機１３が吸引動作を行うと、床面上のごみが空気と一緒に吸込口体２に吸い込まれる。吸込口体２に吸い込まれた含塵空気は、吸込口体２、延長パイプ３、接続パイプ４、サクションホース５の順にこれらの内部を通って、掃除機本体６に送られる。
このように、吸込口体２、延長パイプ３、接続パイプ４及びサクションホース５は、外部から掃除機本体６の内部に含塵空気を流入させるための風路を形成する。
【００１６】
次に、掃除機本体６には、集塵ユニット１２が着脱自在に取り付けられている。本体６から集塵ユニット１２を取り外した状態が図５である。掃除機本体６は、電動送風機収容ユニット６ａと集塵ユニット収容部６ｂとを備えている。
【００１７】
電動送風機収容ユニット６ａは、箱状を呈する部材（例えば、成型品）からなる。電動送風機収容ユニット６ａは、後側端部から前側寄りの所定の位置までの部分は、後方が高く、前方が低くなるように、その上面が斜めに形成されている。
また、電動送風機収容ユニット６ａの前記所定位置よりも前側の部分は、後方が低く、前方が高くなるように、その上面が斜めに形成されている。
【００１８】
したがって、電動送風機収容ユニット６ａの上面の一部は、側方から見ると、略凹状となっている。この電動送風機収容ユニット６ａの上記略凹字状の部分は、その上方に、集塵ユニット収容部６ｂを形成する。
この集塵ユニット収容部６ｂは、集塵ユニット１２を収容するための空間からなる。集塵ユニット１２が電動送風機収容ユニット６ａに適切に取り付けられると、集塵ユニット１２は、その要部が、集塵ユニット収容部６ｂ内、すなわち、電動送風機収容ユニット６ａの上方に配置される。
【００１９】
さらに図７も参照しながら、本体６の内部構成について説明する。
掃除機本体６の電動送風機収容ユニット６ａ内には、電動送風機１３やコードリール部等が収容されている。
また、電動送風機収容ユニット６ａの内部には、掃除機本体６において、ホース接続口９から流入した含塵空気を集塵ユニット１２に導く為の吸気風路１４が形成されている。
【００２０】
吸気風路１４の一端は、掃除機本体６の前面で開口して、ホース接続口９を形成している。吸気風路１４は、電動送風機収容ユニット６ａの内部空間を通過している。
そして、吸気風路１４の他端は、電動送風機収容ユニット６ａの上面（すなわち、集塵ユニット収容部６ｂ側）で開口し、本体側流出口１５を形成している。本体側流出口１５は、電動送風機収容ユニット６ａの上面における、後側端部寄りかつ一側寄りに配置される。
【００２１】
集塵ユニット１２は、含塵空気からごみを分離し、分離したごみを一時的に溜めておくためのものである。
この集塵ユニット１２は、内部で含塵空気を旋回させることにより、遠心力によってごみを空気から分離する。すなわち、集塵ユニット１２は、サイクロン分離機能を有している。
【００２２】
この集塵ユニット１２の側面には、集塵ユニット流入口１２ａが開口している。この集塵ユニット流入口１２ａは、本体側流出口１５から塵埃が混ざった気流を、集塵ユニット１２の内部に導入する為の開口である。
また、集塵ユニット１２の上部には、下方向に向けて開口する集塵ユニット排出口１２ｂが設けられている。この集塵ユニット排出口１２ｂは、集塵ユニット１２の内部で塵埃と分離した気流を電動送風機収容ユニット６ａに向けて排気する為の開口である。
【００２３】
電動送風機収容ユニット６ａの内部には、掃除機本体６において、集塵ユニット１２から排出された空気（集塵ユニット１２においてごみが取り除かれた清浄空気）を、排気口（図示せず）に導くための排気風路１６が形成されている。排気風路１６の一端は、電動送風機収容ユニット６ａの上面で開口し、本体側流入口１７を形成している。
【００２４】
排気風路１６は、電動送風機収容ユニット６ａの内部空間を通過している。そして、排気風路１６の他端は、電動送風機収容ユニット６ａの外側に向けて開口して排気口を形成している。本体側流入口１７は、本体６の上部における後側端部寄りの略中央に配置される。
【００２５】
以上のように各部が構成された集塵ユニット１２は、集塵ユニット収容部６ｂに収容されると、集塵ユニット流入口１２ａと本体側流出口１５が、集塵ユニット排出口１２ｂと本体側流入口１７が、それぞれ対向して接続する。
【００２６】
電動送風機１３は、電気掃除機１に形成された風路（掃除機本体６の内部に含塵空気を流入させるための風路、吸気風路１４、後述する集塵ユニット１２内の風路、排気風路１６）に、気流を発生させるためのものである。電動送風機１３は、電動送風機収容ユニット６ａ内の後側端部寄りの所定の位置において、排気風路１６内に配置される。
【００２７】
電動送風機１３が吸引動作を開始すると、電気掃除機１に形成された各風路に、気流（吸引風）が発生する。吸込口体２に吸い込まれた含塵空気は、ホース接続口９から掃除機本体６の内部に取り込まれる。
掃除機本体６の内部に流入した含塵空気は、吸気風路１４を経て、本体側流出口１５から集塵ユニット流入口１２ａを経て集塵ユニット１２に送られる。
【００２８】
集塵ユニット１２の内部で塵埃と分離した気流は、集塵ユニット排出口１２ｂから本体側流入口１７に向けて排出される。集塵ユニット１２から排出された空気（清浄空気）は、排気風路１６に流入し、排気風路１６内において電動送風機１３を通過する。電動送風機１３を通過した空気は、排気風路１６をさらに進み、排気口から本体６（電気掃除機１）の外部に排出される。
【００２９】
（ハンドルとプラグの位置関係について）
以上のように構成された掃除機本体６には、掃除機本体６を持ち運ぶ際に使用者が握るハンドル２０が設けられている。図８を参照すると、このハンドル２０は、ハンドルの基本骨格となる基体２１と、基体２１の外側を覆い意匠面を形成するセンターカバー２３とサイドカバー２２から構成されている。
基体２１はアーチ形状を成しており、合成樹脂により一体に形成されている。そして、基体２１は、一端を本体左面６１、他端を本体右面６２に固定することにより、本体６の一方の側面から本体上方を通り他方の側面に至るように本体６に固定される。
【００３０】
次に、基体２１の側面を覆うサイドカバー２２は、基体２１の本体６への取り付け端２１ａを越える大きさに構成されており、基体２１の側面２１ｂにサイドカバー２２を取り付けることにより、サイドカバー２２は、基体２１の側面を覆うと共に、本体６の側面６１，６２を覆う。
そして、基体２１の上面にセンターカバー２３を取り付けることにより、ハンドル２０が本体６に形成される。
【００３１】
図９を参照すると、このようにハンドル２０が取り付けられた本体６を後方から見ると、ハンドル２０が本体の両側面６１，６２に取り付けられて、本体の一方の側面から他方の側面に至るアーチを形成することから、コード取出し口６ｈがハンドル２０の内側に位置することとなる。
つまり、コード１１がコードリールに収納されている状態において、ハンドル２０がコードプラグ１１ｃの外側を囲む位置関係となる。これにより、本体６が横方向に転倒しても、床面Ｇとコードプラグ１１ｃの間にハンドル２０が介在するので、コードプラグ１１ｃの床面Ｇへの接触を防止することができる。
【００３２】
更に、ハンドル２０の意匠面を構成するサイドカバーで、本体６の側面６１，６２とハンドル２０の基体２１の外面を覆うので、本体６の側面に別部品であるハンドル２０の取り付け部位が位置しても、この取り付け部位（本体６とハンドルの基体２１の境目）を覆い、一体的な意匠面を構成することができると共に、本体６の側方から加わる衝撃をサイドカバーが受けることで和らげることができる。
【００３３】
（ハンドルと集塵ユニットの位置関係について）
次に、主に図７、図９、図１０を参照すると、上記のように本体６に設けられたハンドル２０は、集塵ユニット排出口１２ｂと本体側流入口１７が合わさる接続位置Ｋの上方および側方に位置し、接続位置Ｋを囲んでいる。
これにより、落下物や本体が転倒した際に、ハンドル２０が接続位置Ｋに向けて作用する衝撃を受け止めることができるので、接触による衝撃から接続位置Ｋを守ることができる。
【００３４】
（アタッチメント保持部）
次に、主に図２、図４、図７、図９、図１１を参照すると、本体６の後部の上側には、後方に向けて突出する突出部であるアタッチメント保持部６３が形成されている。このアタッチメント保持部６３の後面６３ａは、本体後面６４と同一平面上に位置するよう構成されている。
このような関係となるように、アタッチメント保持部６３と本体後面６４を構成しているので、本体後面６４とアタッチメント保持部６３を下に向けて、安定して床面Ｇ上に掃除機本体６を直立させて置くことができる（このような掃除機本体の置き方を、「スタンド収納」という）。
尚、掃除機本体６をスタンド収納している状態において、床面Ｇとハンドル２０との間に、隙間Ｄが形成されるようにハンドル２０は構成されている。
【００３５】
このように、掃除機本体６をスタンド収納している状態でも、床面Ｇとハンドル２０との間に隙間Ｄが形成されるので、使用者がスタンド収納状態からハンドル２０握る際に、隙間Ｄの位置に手を入れることができるので、スタンド収納状態からでもハンドル２０を握りやすく、容易に本体６を持ち上げることができる。
【００３６】
また、ハンドル２０の後端とアタッチメント保持部６３の後端を結ぶ直線Ｌより本体６側にコードプラグ１１ａが位置するように各部を構成することで、スタンド収納状態から後方に本体が倒れた場合でも、コードプラグ１１ａが床面Ｇに接することを防止することができる。
【００３７】
次に、主に図４、図１２を参照すると、このアタッチメント保持部６３には、上方に向けて開口する凹部６３ｂが形成されている。この凹部６３ｂの内部には、吸込口体２や延長パイプ３などのアタッチメントに設けられたフック３ａが入り込み係合することで、本体６はアタッチメントを固定し保持することができる。
【００３８】
ここで、図１３を参照すると、ハンドル２０はアタッチメント保持部６３より前方に位置するので、延長パイプ３０などのアタッチメントのフック３ａが凹部６３ｂに係合することにより、アタッチメント保持部６３に保持されている状態で、アタッチメントに何らかの荷重が作用し前方に傾いた際に、アタッチメントがハンドル２０の接触位置Ｐで接触することで、アタッチメントを保持することができる。
この様に構成されているので、アタッチメントが保持部６３に保持された状態で前方に傾いても、フック３ａに大きな力がかかることを防止できる。
【００３９】
尚、図１３は、延長パイプ３がアタッチメント保持部６３に保持されている状態で、前方に荷重がかかり、ハンドル２０に接触して保持されている状態を示している。
また、ハンドル２０のアタッチメントと接触する部位は、エラストマーやシリコン等の軟質部材により構成するとよい。これにより、アタッチメントとハンドル２０が接触しても、アタッチメントを傷つけ難くすることができると共に、使用者がハンドル２０を握りやすく構成することができる。
【符号の説明】
【００４０】
１  電気掃除機、２  吸込口体（アタッチメント）、３  延長パイプ（アタッチメント）
４  接続パイプ、６  掃除機本体、１１  コード、１１ｃ  コードプラグ、
１２  集塵ユニット、２０  ハンドル、６３  突出部（アタッチメント保持部）。
【図１】
2014083229.tif 000003
【図２】
2014083229.tif 000004
【図３】
2014083229.tif 000005
【図４】
2014083229.tif 000006
【図５】
2014083229.tif 000007
【図６】
2014083229.tif 000008
【図７】
2014083229.tif 000009
【図８】
2014083229.tif 000010
【図９】
2014083229.tif 000011
【図１０】
2014083229.tif 000012
【図１１】
2014083229.tif 000013
【図１２】
2014083229.tif 000014
【図１３】
2014083229.tif 000015